(57)【特許請求の範囲】
【請求項１】
記録媒体の記録面に着弾した活性エネルギー硬化型インクに活性エネルギー線を照射するインクジェット記録装置であって、
記録媒体を搬送する搬送部と、
前記搬送部の搬送面から鉛直方向に離間した位置に設けられ、前記搬送部によって搬送される記録媒体の記録面に、活性エネルギー硬化型インクを吐出する記録部と、
前記記録部に対して記録媒体の搬送方向下流側に設けられ、活性エネルギー硬化型インクが着弾した記録面に、活性エネルギー線を照射する照射部と、
前記記録部に対して搬送方向下流側で、且つ前記照射部に対して搬送方向上流側に設けられ、前記照射部で照射された活性エネルギー線を遮蔽する遮蔽機構と、を有し、
前記遮蔽機構は、
搬送方向上流側に向かう活性エネルギー線を遮蔽する第一遮蔽材を含み、前記搬送部の幅方向の一方側に設けられる第一遮蔽部と、
前記第一遮蔽部と対をなし、搬送方向上流側に向かう活性エネルギー線を遮蔽する第二遮蔽材を含み、前記搬送部の幅方向の他方側に設けられる第二遮蔽部と、
前記遮蔽機構を閉鎖する場合、前記第一遮蔽材を、前記搬送部の幅方向の一方側から他方側の方向に移動させ、前記第二遮蔽材を、前記搬送部の幅方向の他方側から一方側の方向に移動させ、前記遮蔽機構を開放する場合、前記第一遮蔽材を、前記搬送部の幅方向の他方側から一方側の方向に移動させ、前記第二遮蔽材を、前記搬送部の幅方向の一方側から他方側の方向に移動させる、開閉部と、を有し、
前記第一遮蔽部は、前記搬送部の幅方向の一方側で、搬送方向に所定の間隔で複数設けられると共に、複数の前記第一遮蔽部は、それぞれ、前記第一遮蔽材を、前記搬送部の幅方向の一方側から他方側の方向に付勢する第一付勢部と、第一接触部と、を有し、
前記第二遮蔽部は、前記搬送部の幅方向の他方側で、且つ、複数の前記第一遮蔽部のそれぞれと対をなすようにして、搬送方向に所定の間隔で複数設けられると共に、複数の前記第二遮蔽部は、それぞれ、前記第二遮蔽材を、前記搬送部の幅方向の他方側から一方側の方向に付勢する第二付勢部と、第二接触部と、を有し、
前記開閉部は、
所定の間隔で複数設けられた前記第一遮蔽部と、所定の間隔で複数設けられた前記第二遮蔽部と、を搬送方向に同期させて移動させる移動部と、
前記搬送部の幅方向の一方側に設けられ、搬送方向に平行な第一平行部と、前記第一平行部に連続し、搬送方向下流側に向かうに従い、前記搬送部の幅方向において前記搬送部から離間する方向に形成された第一離間部と、を有し、且つ前記第一接触部が接する、第一案内部と、
前記搬送部の幅方向の他方側に設けられ、搬送方向に平行な第二平行部と、前記第二平行部に連続し、搬送方向下流側に向かうに従い、前記搬送部の幅方向において前記搬送部から離間する方向に形成された第二離間部と、を有し、且つ前記第二接触部が接する、第二案内部と、を有し、
前記第一接触部が前記第一平行部に接した状態で、前記移動部によって前記第一遮蔽部が移動し、前記第二接触部が前記第二平行部に接した状態で、前記移動部によって前記第二遮蔽部が移動する場合、前記遮蔽機構は閉鎖され、
前記第一接触部が前記第一離間部に接した状態で、前記移動部によって前記第一遮蔽部が移動し、前記第二接触部が前記第二離間部に接した状態で、前記移動部によって前記第二遮蔽部が移動する場合、前記遮蔽機構は漸次開放され、
前記遮蔽機構を閉鎖する場合、前記第一遮蔽材を、前記第一付勢部による付勢力によって、前記搬送部の幅方向の一方側から他方側の方向に移動させ、前記第二遮蔽材を、前記第二付勢部による付勢力によって、前記搬送部の幅方向の他方側から一方側の方向に移動させ、
前記遮蔽機構を開放する場合、前記第一遮蔽材を、前記第一付勢部による付勢力に抗して、前記搬送部の幅方向の他方側から一方側の方向に移動させ、前記第二遮蔽材を、前記第二付勢部による付勢力に抗して、前記搬送部の幅方向の一方側から他方側の方向に移動させる、インクジェット記録装置。
【請求項２】
前記第一接触部は、前記第一付勢部によって前記第一遮蔽材と同一の方向に付勢され、前記第一平行部及び前記第一離間部に押圧された状態で接し、
前記第二接触部は、前記第二付勢部によって前記第二遮蔽材と同一の方向に付勢され、前記第二平行部及び前記第二離間部に押圧された状態で接する、請求項１に記載のインクジェット記録装置。
【請求項３】
前記移動部による前記第一遮蔽部及び前記第二遮蔽部の移動速度と、前記搬送部による記録媒体の搬送速度と、は同一速度に設定される、請求項１又は請求項２に記載のインクジェット記録装置。
【請求項４】
搬送部によって搬送される搬送対象に活性エネルギー線を照射する照射部に対して、前記搬送部によって搬送対象が搬送される搬送方向の上流側に設けられ、前記照射部で照射された活性エネルギー線を遮蔽する遮蔽機構であって、
搬送方向上流側に向かう活性エネルギー線を遮蔽する第一遮蔽材を含み、前記搬送部の幅方向の一方側に設けられる第一遮蔽部と、
前記第一遮蔽部と対をなし、搬送方向上流側に向かう活性エネルギー線を遮蔽する第二遮蔽材を含み、前記搬送部の幅方向の他方側に設けられる第二遮蔽部と、
前記遮蔽機構を閉鎖する場合、前記第一遮蔽材を、前記搬送部の幅方向の一方側から他方側の方向に移動させ、前記第二遮蔽材を、前記搬送部の幅方向の他方側から一方側の方向に移動させ、前記遮蔽機構を開放する場合、前記第一遮蔽材を、前記搬送部の幅方向の他方側から一方側の方向に移動させ、前記第二遮蔽材を、前記搬送部の幅方向の一方側から他方側の方向に移動させる、開閉部と、を有し、
前記第一遮蔽部は、前記搬送部の幅方向の一方側で、搬送方向に所定の間隔で複数設けられると共に、複数の前記第一遮蔽部は、それぞれ、前記第一遮蔽材を、前記搬送部の幅方向の一方側から他方側の方向に付勢する第一付勢部と、第一接触部と、を有し、
前記第二遮蔽部は、前記搬送部の幅方向の他方側で、且つ、複数の前記第一遮蔽部のそれぞれと対をなすようにして、搬送方向に所定の間隔で複数設けられると共に、複数の前記第二遮蔽部は、それぞれ、前記第二遮蔽材を、前記搬送部の幅方向の他方側から一方側の方向に付勢する第二付勢部と、第二接触部と、を有し、
前記開閉部は、
所定の間隔で複数設けられた前記第一遮蔽部と、所定の間隔で複数設けられた前記第二遮蔽部と、を搬送方向に同期させて移動させる移動部と、
前記搬送部の幅方向の一方側に設けられ、搬送方向に平行な第一平行部と、前記第一平行部に連続し、搬送方向下流側に向かうに従い、前記搬送部の幅方向において前記搬送部から離間する方向に形成された第一離間部と、を有し、且つ前記第一接触部が接する、第一案内部と、
前記搬送部の幅方向の他方側に設けられ、搬送方向に平行な第二平行部と、前記第二平行部に連続し、搬送方向下流側に向かうに従い、前記搬送部の幅方向において前記搬送部から離間する方向に形成された第二離間部と、を有し、且つ前記第二接触部が接する、第二案内部と、を有し、
前記第一接触部が前記第一平行部に接した状態で、前記移動部によって前記第一遮蔽部が移動し、前記第二接触部が前記第二平行部に接した状態で、前記移動部によって前記第二遮蔽部が移動する場合、前記遮蔽機構は閉鎖され、
前記第一接触部が前記第一離間部に接した状態で、前記移動部によって前記第一遮蔽部が移動し、前記第二接触部が前記第二離間部に接した状態で、前記移動部によって前記第二遮蔽部が移動する場合、前記遮蔽機構は漸次開放され、
前記遮蔽機構を閉鎖する場合、前記第一遮蔽材を、前記第一付勢部による付勢力によって、前記搬送部の幅方向の一方側から他方側の方向に移動させ、前記第二遮蔽材を、前記第二付勢部による付勢力によって、前記搬送部の幅方向の他方側から一方側の方向に移動させ、
前記遮蔽機構を開放する場合、前記第一遮蔽材を、前記第一付勢部による付勢力に抗して、前記搬送部の幅方向の他方側から一方側の方向に移動させ、前記第二遮蔽材を、前記第二付勢部による付勢力に抗して、前記搬送部の幅方向の一方側から他方側の方向に移動させる、遮蔽機構。
【発明の詳細な説明】
【技術分野】
【０００１】
本発明は、活性エネルギー線を照射し、画像を記録するために吐出され、記録媒体の記録面に着弾した活性エネルギー硬化型インクを硬化させるインクジェット記録装置と、遮蔽機構に関する。
【背景技術】
【０００２】
従来から、塗布された紫外線硬化型インク等を硬化させるための装置についての提案がなされている（例えば、特許文献１、特許文献２参照）。具体的に、特許文献１には、印刷紙に塗布された紫外線硬化型インクを硬化、乾燥させる等の紫外線による処理をするために印刷機に付設する紫外線照射装置が開示されている。特許文献１の紫外線照射装置では、紫外線照射部に紫外線硬化物が塗布された被照射物が一定の送りピッチにより間欠送りされる。特許文献１において、紫外線照射部は紫外線を発光する棒状の光源と樋状の反射鏡と、これら光源及び反射鏡を収めた灯体と、この灯体と被照射物との間の位置に設けられた筒型ミラーとから構成される。また、特許文献１において、筒型ミラーの内側面はすべて反射面を有し、筒型ミラーの側面の下部は、この筒型ミラーの底部を支点として被照射物の進行方向に回動することにより、光源からの光を遮光する反射兼遮光板を形成する。
【０００３】
特許文献２には、プラスチック成形品の表面に塗装されたＵＶ塗料に対して紫外線を照射して乾燥、硬化させるＵＶ乾燥装置が開示されている。特許文献２のＵＶ乾燥装置は、例えば、自動車のヘッドライトの反射鏡を製造する場合において、ワークの表面に下地としてＵＶ塗料を施し、塗装面を乾燥、硬化させた後、その表面に真空蒸着によってアルミニウム等の金属を付着させるＵＶ塗装・乾燥・蒸着ラインで使用される。特許文献２のＵＶ乾燥装置では、ＵＶ乾燥室の入口と出口にはシャッター板が設けられており、エアシリンダによって構成されているシャッター昇降装置を作動させてシャッター板を閉塞することによってＵＶ乾燥室は外部と遮蔽される。
【０００４】
なお、紫外線照射部から搬送対象物へ照射される紫外線の照射領域を規制するシャッター部材と、シャッター部材を搬送方向上流側および下流側に移動させる移動機構とを備えるインク硬化装置が提案されている（例えば、特許文献３参照）。特許文献３によれば、シャッター部材（第１シャッター部材および第２シャッター部材）によって、搬送対象物へ照射される紫外線の照射領域を適切に設定できる。すなわち、シャッター部材を移動させるという簡易な構成で、搬送対象物の、ＵＶインクを硬化させたい部分にのみ紫外線を照射することが可能となり、搬送対象物に対する紫外線の熱の影響を適切に抑制できる。
【先行技術文献】
【特許文献】
【０００５】
【特許文献１】特公平７−１０８５６５号公報
【特許文献２】特開２００９−１６８３６３号公報
【特許文献３】特開２００７−２７６４１４号公報
【発明の概要】
【発明が解決しようとする課題】
【０００６】
ところで、インクジェット記録装置から、例えば紫外線硬化型インク又は電子線硬化型インクのような活性エネルギー硬化型インクを吐出して、各種の記録媒体に好適な画像を記録することがある。活性エネルギー硬化型インクは、活性エネルギー線が照射されて硬化するから、活性エネルギー硬化型インクを吐出するインクジェット記録装置は、活性エネルギー線を照射するための照射部を有し、照射部において記録媒体の記録面に着弾した活性エネルギー硬化型インクに活性エネルギー線が照射される。この場合、記録面に着弾した未硬化状態の活性エネルギー硬化型インク（インクドット）の状態を維持し、好適な画像品質を確保しつつ、照射された活性エネルギー線が、漏洩しないようにする必要がある。例えば加工生産工程で用いられる産業用途のインクジェット記録装置では、順次連続して、活性エネルギー硬化型インクが記録面に着弾した記録媒体が、記録部から照射部に向けて搬送されてくる。そのため、記録媒体を照射部に搬送するに際し、活性エネルギー線が搬送方向及びこれと反対の方向、すなわち、搬送方向上流側及び搬送方向下流側に漏洩しないような対策をとる必要がある。特に、搬送方向上流側に設けられた記録部の方向（搬送方向上流側）に活性エネルギー線が漏洩し、漏洩した活性エネルギー線が記録部の吐出面に照射されると、この部分において活性エネルギー硬化型インクが硬化してしまう。
【０００７】
本発明は、好適な画像品質を確保し、搬送方向上流側に向かう活性エネルギー線を好適に遮蔽することができるインクジェット記録装置及び遮蔽機構を提供することを目的とする。
【課題を解決するための手段】
【０００８】
上記従来の課題に鑑みなされた本発明の一側面は、記録媒体の記録面に着弾した活性エネルギー硬化型インクに活性エネルギー線を照射するインクジェット記録装置であって、記録媒体を搬送する搬送部と、前記搬送部の搬送面から鉛直方向に離間した位置に設けられ、前記搬送部によって搬送される記録媒体の記録面に、活性エネルギー硬化型インクを吐出する記録部と、前記記録部に対して記録媒体の搬送方向下流側に設けられ、活性エネルギー硬化型インクが着弾した記録面に、活性エネルギー線を照射する照射部と、前記記録部に対して搬送方向下流側で、且つ前記照射部に対して搬送方向上流側に設けられ、前記照射部で照射された活性エネルギー線を遮蔽する遮蔽機構と、を有し、前記遮蔽機構は、搬送方向上流側に向かう活性エネルギー線を遮蔽する第一遮蔽材を含み、前記搬送部の幅方向の一方側に設けられる第一遮蔽部と、前記第一遮蔽部と対をなし、搬送方向上流側に向かう活性エネルギー線を遮蔽する第二遮蔽材を含み、前記搬送部の幅方向の他方側に設けられる第二遮蔽部と、前記遮蔽機構を閉鎖する場合、前記第一遮蔽材を、前記搬送部の幅方向の一方側から他方側の方向に移動させ、前記第二遮蔽材を、前記搬送部の幅方向の他方側から一方側の方向に移動させ、前記遮蔽機構を開放する場合、前記第一遮蔽材を、前記搬送部の幅方向の他方側から一方側の方向に移動させ、前記第二遮蔽材を、前記搬送部の幅方向の一方側から他方側の方向に移動させる、開閉部と、を有し、前記第一遮蔽部は、前記搬送部の幅方向の一方側で、搬送方向に所定の間隔で複数設けられると共に、複数の前記第一遮蔽部は、それぞれ、前記第一遮蔽材を、前記搬送部の幅方向の一方側から他方側の方向に付勢する第一付勢部と、第一接触部と、を有し、前記第二遮蔽部は、前記搬送部の幅方向の他方側で、且つ、複数の前記第一遮蔽部のそれぞれと対をなすようにして、搬送方向に所定の間隔で複数設けられると共に、複数の前記第二遮蔽部は、それぞれ、前記第二遮蔽材を、前記搬送部の幅方向の他方側から一方側の方向に付勢する第二付勢部と、第二接触部と、を有し、前記開閉部は、所定の間隔で複数設けられた前記第一遮蔽部と、所定の間隔で複数設けられた前記第二遮蔽部と、を搬送方向に同期させて移動させる移動部と、前記搬送部の幅方向の一方側に設けられ、搬送方向に平行な第一平行部と、前記第一平行部に連続し、搬送方向下流側に向かうに従い、前記搬送部の幅方向において前記搬送部から離間する方向に形成された第一離間部と、を有し、且つ前記第一接触部が接する、第一案内部と、前記搬送部の幅方向の他方側に設けられ、搬送方向に平行な第二平行部と、前記第二平行部に連続し、搬送方向下流側に向かうに従い、前記搬送部の幅方向において前記搬送部から離間する方向に形成された第二離間部と、を有し、且つ前記第二接触部が接する、第二案内部と、を有し、前記第一接触部が前記第一平行部に接した状態で、前記移動部によって前記第一遮蔽部が移動し、前記第二接触部が前記第二平行部に接した状態で、前記移動部によって前記第二遮蔽部が移動する場合、前記遮蔽機構は閉鎖され、前記第一接触部が前記第一離間部に接した状態で、前記移動部によって前記第一遮蔽部が移動し、前記第二接触部が前記第二離間部に接した状態で、前記移動部によって前記第二遮蔽部が移動する場合、前記遮蔽機構は漸次開放され、前記遮蔽機構を閉鎖する場合、前記第一遮蔽材を、前記第一付勢部による付勢力によって、前記搬送部の幅方向の一方側から他方側の方向に移動させ、前記第二遮蔽材を、前記第二付勢部による付勢力によって、前記搬送部の幅方向の他方側から一方側の方向に移動させ、前記遮蔽機構を開放する場合、前記第一遮蔽材を、前記第一付勢部による付勢力に抗して、前記搬送部の幅方向の他方側から一方側の方向に移動させ、前記第二遮蔽材を、前記第二付勢部による付勢力に抗して、前記搬送部の幅方向の一方側から他方側の方向に移動させる、インクジェット記録装置である。
【０００９】
これによれば、搬送方向上流側に向かう活性エネルギー線を遮蔽し、且つ記録媒体を通過させるために行う開閉部の開閉動作を、搬送部の幅方向で行うため、第一遮蔽材及び第二遮蔽材と、記録面との接触を防止することができる。また、第一遮蔽材と第二遮蔽材とを、搬送部の幅方向においてそれぞれ異なる方向に移動させるため、開閉動作における各遮蔽材の移動距離を短くすることができる。従って、開閉動作を、短時間で行うことができる。遮蔽機構の構成をシンプルにすることができる。また、幅寸法の異なる各種の記録媒体に、好適に対応することができる。好適に遮蔽機構を閉鎖し、開放することができる。例えば、特別な制御を行うことなく、遮蔽機構を閉鎖させ、閉鎖させた遮蔽機構を開放させることができる。また、記録媒体が、順次連続して搬送される場合に好適に対応することができる。ここで、上記において、搬送方向上流側に向かう活性エネルギー線は、記録媒体が搬送される方向（搬送方向）と反対方向に向かう活性エネルギー線と同義である。第一離間部が形成される方向について、搬送部の幅方向において搬送部から離間する方向は、搬送部の幅方向の他方側から一方側の方向に一致する。また、第二離間部が形成される方向について、搬送部の幅方向において搬送部から離間する方向は、搬送部の幅方向の一方側から他方側の方向に一致する。また、インクジェット記録装置は、単一の装置としての構成の他、システムとして構築された構成を含む。
【００１０】
このインクジェット記録装置は、次のような構成とすることもできる。すなわち、前記第一接触部は、前記第一付勢部によって前記第一遮蔽材と同一の方向に付勢され、前記第一平行部及び前記第一離間部に押圧された状態で接し、前記第二接触部は、前記第二付勢部によって前記第二遮蔽材と同一の方向に付勢され、前記第二平行部及び前記第二離間部に押圧された状態で接する、ようにしてもよい。これによれば、第一接触部と、第一平行部及び第一離間部との接触状態を好適に維持し、第二接触部と、第二平行部及び第二離間部との接触状態を好適に維持することができる。
【００１１】
また、前記移動部による前記第一遮蔽部及び前記第二遮蔽部の移動速度と、前記搬送部による記録媒体の搬送速度と、は同一速度に設定される、ようにしてもよい。これによれば、移動速度と搬送速度との相違に起因して、第一遮蔽部において第一遮蔽材と記録媒体とが擦れ合い、何れか一方又は両方が損傷及び／又は摩耗することを防止し、第二遮蔽部において第二遮蔽材と記録媒体とが擦れ合い、何れか一方又は両方が損傷及び／又は摩耗することを防止することができる。記録媒体を好適な状態に維持し、インクジェット記録装置の耐久性を向上させることができる。
【００１２】
本発明の他の側面は、搬送部によって搬送される搬送対象に活性エネルギー線を照射する照射部に対して、前記搬送部によって搬送対象が搬送される搬送方向の上流側に設けられ、前記照射部で照射された活性エネルギー線を遮蔽する遮蔽機構であって、搬送方向上流側に向かう活性エネルギー線を遮蔽する第一遮蔽材を含み、前記搬送部の幅方向の一方側に設けられる第一遮蔽部と、前記第一遮蔽部と対をなし、搬送方向上流側に向かう活性エネルギー線を遮蔽する第二遮蔽材を含み、前記搬送部の幅方向の他方側に設けられる第二遮蔽部と、前記遮蔽機構を閉鎖する場合、前記第一遮蔽材を、前記搬送部の幅方向の一方側から他方側の方向に移動させ、前記第二遮蔽材を、前記搬送部の幅方向の他方側から一方側の方向に移動させ、前記遮蔽機構を開放する場合、前記第一遮蔽材を、前記搬送部の幅方向の他方側から一方側の方向に移動させ、前記第二遮蔽材を、前記搬送部の幅方向の一方側から他方側の方向に移動させる、開閉部と、を有し、前記第一遮蔽部は、前記搬送部の幅方向の一方側で、搬送方向に所定の間隔で複数設けられると共に、複数の前記第一遮蔽部は、それぞれ、前記第一遮蔽材を、前記搬送部の幅方向の一方側から他方側の方向に付勢する第一付勢部と、第一接触部と、を有し、前記第二遮蔽部は、前記搬送部の幅方向の他方側で、且つ、複数の前記第一遮蔽部のそれぞれと対をなすようにして、搬送方向に所定の間隔で複数設けられると共に、複数の前記第二遮蔽部は、それぞれ、前記第二遮蔽材を、前記搬送部の幅方向の他方側から一方側の方向に付勢する第二付勢部と、第二接触部と、を有し、前記開閉部は、所定の間隔で複数設けられた前記第一遮蔽部と、所定の間隔で複数設けられた前記第二遮蔽部と、を搬送方向に同期させて移動させる移動部と、前記搬送部の幅方向の一方側に設けられ、搬送方向に平行な第一平行部と、前記第一平行部に連続し、搬送方向下流側に向かうに従い、前記搬送部の幅方向において前記搬送部から離間する方向に形成された第一離間部と、を有し、且つ前記第一接触部が接する、第一案内部と、前記搬送部の幅方向の他方側に設けられ、搬送方向に平行な第二平行部と、前記第二平行部に連続し、搬送方向下流側に向かうに従い、前記搬送部の幅方向において前記搬送部から離間する方向に形成された第二離間部と、を有し、且つ前記第二接触部が接する、第二案内部と、を有し、前記第一接触部が前記第一平行部に接した状態で、前記移動部によって前記第一遮蔽部が移動し、前記第二接触部が前記第二平行部に接した状態で、前記移動部によって前記第二遮蔽部が移動する場合、前記遮蔽機構は閉鎖され、前記第一接触部が前記第一離間部に接した状態で、前記移動部によって前記第一遮蔽部が移動し、前記第二接触部が前記第二離間部に接した状態で、前記移動部によって前記第二遮蔽部が移動する場合、前記遮蔽機構は漸次開放され、前記遮蔽機構を閉鎖する場合、前記第一遮蔽材を、前記第一付勢部による付勢力によって、前記搬送部の幅方向の一方側から他方側の方向に移動させ、前記第二遮蔽材を、前記第二付勢部による付勢力によって、前記搬送部の幅方向の他方側から一方側の方向に移動させ、前記遮蔽機構を開放する場合、前記第一遮蔽材を、前記第一付勢部による付勢力に抗して、前記搬送部の幅方向の他方側から一方側の方向に移動させ、前記第二遮蔽材を、前記第二付勢部による付勢力に抗して、前記搬送部の幅方向の一方側から他方側の方向に移動させる、遮蔽機構である。
【００１３】
これによれば、搬送方向上流側に向かう活性エネルギー線を遮蔽し、且つ搬送対象を通過させるために行う開閉部の開閉動作を、搬送部の幅方向で行うことができる。また、第一遮蔽材と第二遮蔽材とを、搬送部の幅方向においてそれぞれ異なる方向に移動させるため、開閉動作における各遮蔽材の移動距離を短くすることができる。従って、開閉動作を、短時間で行うことができる。遮蔽機構の構成をシンプルにすることができる。また、幅寸法の異なる各種の搬送対象に、好適に対応することができる。好適に遮蔽機構を閉鎖し、開放することができる。例えば、特別な制御を行うことなく、遮蔽機構を閉鎖させ、閉鎖させた遮蔽機構を開放させることができる。また、搬送対象が、順次連続して搬送される場合に好適に対応することができる。ここで、上記において、搬送方向上流側に向かう活性エネルギー線は、搬送対象が搬送される方向（搬送方向）と反対方向に向かう活性エネルギー線と同義である。第一離間部が形成される方向について、搬送部の幅方向において搬送部から離間する方向は、搬送部の幅方向の他方側から一方側の方向に一致する。また、第二離間部が形成される方向について、搬送部の幅方向において搬送部から離間する方向は、搬送部の幅方向の一方側から他方側の方向に一致する。
【発明の効果】
【００１４】
本発明によれば、好適な画像品質を確保し、搬送方向上流側に向かう活性エネルギー線を好適に遮蔽することができるインクジェット記録装置及び遮蔽機構を得ることができる。
【図面の簡単な説明】
【００１５】
【図１】ライン型のインクジェット記録装置の概略を示す図である。（ａ）は平面図であり、（ｂ）は正面図である。
【図２】上流側遮蔽機構の概略を示す平面図である。
【図３】第一遮蔽部及び第二遮蔽部の概略を示す図である。（ａ）は平面図であり、（ｂ）は正面図である。
【図４】産業資材が上流側遮蔽機構の第一平行部及び第二平行部を搬送されている状態を説明するための部分拡大図であって、搬送方向上流側からの斜視図である。
【図５】下流側遮蔽機構の概略を示す平面図である。
【図６】遮蔽材によって下流側遮蔽機構の貫通路が閉鎖されている状態を説明するための部分拡大図であって、搬送方向上流側からの斜視図である。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１７】
＜インクジェット記録装置＞
インクジェット記録装置１は、図１に示すように、搬送部１０と、キャリッジ２０と、記録部３０と、上流側遮蔽機構４０と、照射部５０と、下流側遮蔽機構６０と、制御部７０とを有する。インクジェット記録装置には、シリアル型のインクジェット記録装置と、ライン型のインクジェット記録装置とがある。本実施形態では、インクジェット記録装置１が、ライン型のインクジェット記録装置である場合を例に説明する。インクジェット記録装置１では、フルカラーの画像が記録（形成）される。画像が記録される記録媒体としては、パーソナルユースでも広く用いられる記録用紙の他、加工生産において用いられる産業資材９０が例示される。産業資材９０には、建築材が含まれる。建築材としては、図１に示すようなコンクリートブロックの他、例えば、窯業サイディング材等が含まれる。産業用途のインクジェット記録装置１では、画像の記録に、活性エネルギー硬化型インクが用いられる。活性エネルギー硬化型インクとしては、紫外線硬化型インク又は電子線硬化型インク等が例示される。本実施形態では、紫外線硬化型インクを例に説明する。なお、図１（ａ），（ｂ）は、インクジェット記録装置１の概略を示すものであって、これに図示された各部及び各部間のサイズ比は、実際のインクジェット記録装置１とは異なる比率とされ、また、産業資材９０としてのコンクリートブロックは、インクジェット記録装置１に対して大きく示されている。
【００１８】
搬送部１０は、コンベア等によって構成される。搬送部１０は、搬送面１２に載せ置かれた産業資材９０を搬送する。産業資材９０は、所定の間隔（図１、図２及び図５の「間隔Ｋ１」参照）で、搬送面１２に連続して載せ置かれることもある。この場合、産業資材９０が載せ置かれる間隔Ｋ１は、例えば、５０ｍｍ〜５００ｍｍ程度に設定される。搬送部１０は、産業資材９０を、搬送部１０の一端側（図１（ａ），（ｂ）を正面視したとき左端側）から、キャリッジ２０と、上流側遮蔽機構４０と、照射部５０と、下流側遮蔽機構６０とを通過させ、搬送部１０の他端側に搬送する（図１（ａ）を正面視したとき右側に示す「画像」と記載の産業資材９０参照。なお、「画像」は、記録面９２に画像が記録されていることを示す。図２、図４〜図６において同じ）。搬送部１０による産業資材９０の搬送速度は、例えば、５ｍ／ｍｉｎ〜５０ｍ／ｍｉｎの範囲に設定される。
【００１９】
キャリッジ２０は、記録部３０を有する。記録部３０は、キャリッジ２０に取り付け固定されている。記録部３０は、例えば記録ヘッドユニット３２Ｋ，３２Ｃ，３２Ｍ，３２Ｙを含む。記録ヘッドユニット３２Ｋは、ブラックの紫外線硬化型インク（以下、「ブラックインク」ともいう。）を吐出する複数の記録ヘッドによって構成される。記録ヘッドユニット３２Ｃは、シアンの紫外線硬化型インク（以下、「シアンインク」ともいう。）を吐出する複数の記録ヘッドによって構成される。記録ヘッドユニット３２Ｍは、マゼンタの紫外線硬化型インク（以下、「マゼンタインク」ともいう。）を吐出する複数の記録ヘッドによって構成される。記録ヘッドユニット３２Ｙは、イエローの紫外線硬化型インク（以下、「イエローインク」ともいう。）を吐出する複数の記録ヘッドによって構成される。すなわち、記録部３０は、複数の記録ヘッドによって構成されている。記録ヘッドユニット３２Ｋを構成する複数の記録ヘッドは、搬送方向に直交する方向（図１（ａ）の「幅方向」参照）の複数列に整列された状態で、且つ隣接する列同士の記録ヘッドが千鳥状となるように配置されている。記録ヘッドユニット３２Ｃ，３２Ｍ，３２Ｙのそれぞれにおける複数の記録ヘッドについても、記録ヘッドユニット３２Ｋと同様に配置されている。なお、各色の記録ヘッドユニット３２Ｋ，３２Ｃ，３２Ｍ，３２Ｙを構成する記録ヘッドには、複数のノズルが形成される。各色の紫外線硬化型インクは、詳細には、このノズルから吐出される。
【００２０】
キャリッジ２０に固定された状態の記録部３０は、搬送面１２から鉛直方向に離間した位置であって、順次、搬送部１０によって搬送される産業資材９０それぞれが記録部３０を通過する状態において、搬送面１２を基準とした記録面９２の高さのばらつきを許容できる位置に設けられる。具体的に、記録部３０は、搬送面１２と対向する記録部３０の面、詳細には、記録ヘッドユニット３２Ｋ，３２Ｃ，３２Ｍ，３２Ｙのそれぞれを構成する複数の記録ヘッドにおける吐出面３４と、産業資材９０の記録面９２との間のギャップＧ（図１（ｂ）参照）が、５ｍｍ以上、具体的には５ｍｍ〜１０ｍｍ程度又は十数ｍｍ程度離間した状態となる位置に設けられる。なお、本実施形態のインクジェット記録装置１において、搬送面１２を基準とした記録面９２の高さ（産業資材９０の厚み）は、概ね１００ｍｍ〜５００ｍｍ程度までが対象とされる。記録部３０がキャリッジ２０に取り付けられた状態において、搬送面１２に対向するキャリッジ２０の面及び吐出面３４は、同一の平面内に含まれるように、同一の高さに設定される。なお、各色の記録ヘッドユニット３２Ｋ，３２Ｃ，３２Ｍ，３２Ｙを構成する記録ヘッドから吐出された紫外線硬化型インクによるインク滴は、ギャップＧの空間を、記録面９２に向けて鉛直方向に飛翔する。
【００２１】
上流側遮蔽機構４０は、搬送方向において記録部３０と照射部５０との間、換言すれば、記録部３０に対して搬送方向下流側で、且つ照射部５０に対して搬送方向上流側に設けられる。上流側遮蔽機構４０は、照射部５０と隣り合う（隣接する）ようにして設けられる。上流側遮蔽機構４０は、照射部５０で照射された活性エネルギー線としての紫外線を、搬送方向上流側において遮蔽する機構（装置）である。なお、上流側遮蔽機構４０については、後述する。照射部５０は、活性エネルギー線を照射する活性エネルギー照射部として機能する。照射部５０は、前述から明らかな通り、記録部３０及び上流側遮蔽機構４０に対して搬送方向下流側で、上流側遮蔽機構４０と隣り合う位置に設けられる。紫外線硬化型インクが用いられる本実施形態では、照射部５０では、紫外線が照射される。すなわち、照射部５０は、搬送部１０の搬送面１２に向けて設けられた紫外線ランプを有し、搬送面１２の方向に活性エネルギー線としての紫外線を照射する。なお、活性エネルギー硬化型インクとして電子線硬化型インクが用いられる場合、照射部５０では、活性エネルギー線としての電子線が照射される。照射部５０は、シャッターを有し、このシャッターを開閉させることで、紫外線の照射を開始し停止する。なお、紫外線の照射の開始及び停止は、照射部５０が有する紫外線ランプの点灯及び消灯によって実現する構成としてもよい。この場合、シャッターを省略することができる。
【００２２】
紫外線の照射は、例えば、記録部３０に対して搬送方向下流側で且つ照射部５０に対して搬送方向上流側の所定の位置に設けられた検知センサ（不図示）で、産業資材９０が検知されたことを条件として開始される。また、紫外線の照射は、照射部５０に対して搬送方向下流側の所定の位置に設けられた検知センサ（不図示）で、産業資材９０が照射部５０を通過したことが検知されたことを条件として停止される。紫外線の照射を開始した後、所定の時間経過したとき、紫外線の照射を停止するようにしてもよい。
【００２３】
下流側遮蔽機構６０は、搬送方向において照射部５０と隣り合う（隣接する）ようにして設けられる。下流側遮蔽機構６０は、照射部５０で照射された活性エネルギー線としての紫外線を、搬送方向下流側において遮蔽する機構（装置）である。なお、下流側遮蔽機構６０については、後述する。制御部７０は、インクジェット記録装置１で実行される画像の記録を含む各種処理を制御する。制御部７０は、電子部品が搭載された回路基板及び電気配線等を含む。
【００２４】
インクジェット記録装置１は、この他、例えば、ブラック、シアン、マゼンタ及びイエローの紫外線硬化型インクをそれぞれ貯留したメインタンク（不図示）を有する。ブラック用のメインタンクに貯留されたブラックインクは、ブラック用のインク供給ライン８０を介して記録ヘッドユニット３２Ｋの複数の記録ヘッドにそれぞれ供給される。シアン用のメインタンクに貯留されたシアンインクは、シアン用のインク供給ライン８０を介して記録ヘッドユニット３２Ｃの複数の記録ヘッドにそれぞれ供給される。マゼンタ用のメインタンクに貯留されたマゼンタインクは、マゼンタ用のインク供給ライン８０を介して記録ヘッドユニット３２Ｍの複数の記録ヘッドにそれぞれ供給される。イエロー用のメインタンクに貯留されたイエローインクは、イエロー用のインク供給ライン８０を介して記録ヘッドユニット３２Ｙの複数の記録ヘッドにそれぞれ供給される。なお、図１（ａ），（ｂ）では、各色用のインク供給ライン８０は、簡略化して図示されている。
【００２５】
インクジェット記録装置１は、ネットワークインターフェース等の所定のインターフェース（不図示）を有する。インクジェット記録装置１は、インターフェースを介して、パーソナルコンピュータ等の外部装置と通信可能に接続されている。外部装置は、インクジェット記録装置１に対し、記録面９２への画像の記録指令及び記録する画像を示すデータ等を入力する。記録指令が入力されたインクジェット記録装置１では、所定の処理が実行され、インクジェット記録方法が実行される。インクジェット記録装置１でインクジェット記録方法が実行されると、入力されたデータによって示される画像が記録面９２に記録され、産業資材９０が模様付けされる。
【００２６】
インクジェット記録方法では、先ず、搬送部１０が動作を開始し、搬送面１２に載せ置かれた産業資材９０の搬送が開始される。次に、記録部３０において、搬送されてきた産業資材９０に対して各色の紫外線硬化型インクが吐出され、記録面９２に着弾する。各色の紫外線硬化型インクは、対応する色の記録ヘッドユニット３２Ｋ，３２Ｃ，３２Ｍ，３２Ｙそれぞれの記録ヘッドから吐出される。これによって、ブラックインクによるブラックドットと、シアンインクによるシアンドットと、マゼンタインクによるマゼンタドットと、イエローインクによるイエロードットとが、記録面９２に記録（形成）される。
【００２７】
その後、さらに搬送部１０によって産業資材９０が搬送され、上流側遮蔽機構４０を通過し、照射部５０において、紫外線硬化型インクが着弾した記録面９２に紫外線が照射される。これによって、記録面９２に着弾した各色の紫外線硬化型インクによって形成されたブラックドット、シアンドット、マゼンタドット、イエロードットが硬化する。そして、産業資材９０は、さらに搬送部１０によって搬送され、下流側遮蔽機構６０を通過する。これによって、１つの産業資材９０に対する画像の記録による模様付けが終了する。なお、産業資材９０は、間隔Ｋ１で順次連続して搬送面１２に載せ置かれ、搬送が開始される。そして、この産業資材９０に対して、上記処理が連続的に繰り返して実行される。
【００２８】
＜上流側遮蔽機構＞
上流側遮蔽機構４０について、図２〜図４を参照して説明する。図２及び図４では図示を省略しているが、上流側遮蔽機構４０は、実際には、搬送部１０が貫通し、産業資材９０が通過できるように搬送方向に貫通した筐体で覆われている。従って、後述する搬送方向上流側の他、インクジェット記録装置１の上方側及び下方側（図１（ｂ）及び図４参照）についても、活性エネルギー線としての紫外線は遮蔽される。なお、図４は、産業資材９０が上流側遮蔽機構４０を搬送される状態を説明するための図であって、上流側遮蔽機構４０を構成する一部の構成を省略し、図示を簡略化している。従って、図２及び図３に示す構成と形状等が一致していない箇所もある。
【００２９】
上流側遮蔽機構４０は、図２に示すように、第一遮蔽部４１０と、第二遮蔽部４２０と、開閉部４６０とを有する。第一遮蔽部４１０は、搬送部１０の幅方向（図２の「幅方向」参照）の一方側に、複数設けられる。第二遮蔽部４２０は、搬送部１０の幅方向の他方側に、複数設けられる。第一遮蔽部４１０及び第二遮蔽部４２０は、それぞれ同数（図２に示す例では、各１０台）だけ設けられ、１つの第一遮蔽部４１０と、１つの第二遮蔽部４２０とは、対をなし、搬送方向上流側に向かう紫外線を遮蔽する機能を有する。第一遮蔽部４１０及び第二遮蔽部４２０は、同一の構成を有する。
【００３０】
第一遮蔽部４１０及び第二遮蔽部４２０は、図３に示すように、フレーム４３０と、遮蔽材４４０と、接触部４４２と、付勢部４４４とを有する。フレーム４３０には、遮蔽材４４０と接触部４４２と付勢部４４４とが取り付けられる。フレーム４３０は、ベース部４３２と、固定部４３４と、可動部４３６と、ガイド部４３８とで構成される。固定部４３４は、ベース部４３２に固定される。可動部４３６は、付勢部４４４による付勢方向及びこれと反対方向を往復移動可能な状態で、ベース部４３２に取り付けられる。ガイド部４３８は、可動部４３６の往復移動をガイドする。遮蔽材４４０は、可動部４３６に取り付けられ、可動部４３６の移動に連動して同一方向に移動する。遮蔽材４４０は、照射部５０で照射された紫外線であって、上流側遮蔽機構４０を貫通する貫通路を、搬送方向上流側に向かう紫外線を遮蔽し、この進行方向において紫外線が、記録部３０の側に漏洩することを防止する。これによって、吐出面３４において紫外線硬化型インクが硬化することを防止することができる。遮蔽材４４０は、例えば、板状又は垂れ幕状の部材によって構成される。なお、遮蔽材４４０の高さ（搬送面１２に対して鉛直方向の寸法）は、上流側遮蔽機構４０の貫通路の高さ程度以上に設定される。
【００３１】
接触部４４２は、可動部４３６に取り付けられ、可動部４３６の往復移動に連動して同一方向に往復移動する。第一遮蔽部４１０の接触部４４２は、後述する開閉部４６０の第一案内部４９０に押圧された状態で接し、第二遮蔽部４２０の接触部４４２は、この開閉部４６０の第二案内部５１０に押圧された状態で接する。すなわち、それぞれの接触部４４２によって、可動部４３６の移動範囲は、第一案内部４９０及び第二案内部５１０までとなるように規制される。接触部４４２は、ガイドローラ等によって構成される。後述する開閉部４６０の移動部４７０，４８０によって、第一遮蔽部４１０及び第二遮蔽部４２０が、それぞれ移動した場合、第一遮蔽部４１０の接触部４４２は第一案内部４９０に接し、第二遮蔽部４２０の接触部４４２は第二案内部５１０に接して、移動に対応する方向にそれぞれ回転する。
【００３２】
付勢部４４４は、固定部４３４と可動部４３６との間に、圧縮された状態で収容され、付勢力を生じさせる。この付勢力は、可動部４３６に伝達され、可動部４３６を付勢方向に移動させる。付勢部４４４は、第一案内部４９０、第二案内部５１０による反力によって可動部４３６が、付勢方向と反対の反付勢方向に移動した場合、圧縮される。なお、付勢部４４４による付勢力によって、可動部４３６に取り付けられた接触部４４２は、第一案内部４９０、第二案内部５１０にそれぞれ押圧された状態で接する。また、付勢部４４４の伸縮に伴う可動部４３６の移動に連動して、遮蔽材４４０は往復移動される。付勢部４４４は、図２及び図３に示すようにコイルばねで構成される。なお、付勢部４４４は、所定の方向（一軸方向）に付勢力を発生できるものであればコイルばね以外の構成としてもよい。
【００３３】
開閉部４６０は、図２に示すように、移動部４７０，４８０と、第一案内部４９０と、第二案内部５１０とを有する。移動部４７０は、ベルト部４７２と、回動部４７４，４７６とを有する。移動部４７０において、ベルト部４７２と、回動部４７４，４７６とは、それぞれ、搬送面１２の上方となる所定の位置と、搬送面１２と同等となる所定の位置とに設けられる。搬送面１２の上方となる所定の位置より下方に設けられるベルト部４７２及び回動部４７４，４７６は、搬送面１２以下又は搬送面１２より下方となる所定の位置に設けられるようにしてもよい。ベルト部４７２は、環状をなし、例えばチェーン等によって構成される。ベルト部４７２には、図２に示すように複数の第一遮蔽部４１０が、等間隔（図２の「間隔Ｋ２」参照）で取り付けられる。具体的に、上方に設けられるベルト部４７２には、第一遮蔽部４１０のフレーム４３０の上方端面部が取り付けられ、下方に設けられるベルト部４７２には、フレーム４３０の下方端面部が取り付けられる（図３（ｂ）参照）。
【００３４】
回動部４７４は、搬送方向上流側の所定の位置に設けられ、回動部４７６は、搬送方向下流側の所定の位置に設けられる。回動部４７４，４７６には、ベルト部４７２が掛けられる。例えば、上方及び下方に設けられている回動部４７６のうち、上方に設けられる回動部４７６には、モータ等のような駆動部（不図示）が所定の伝達機構（不図示）を介して接続される。駆動部を所定の方向に回動させると、この回動部４７６は、伝達機構を介して、右回りに回転（従動回転。回動部４７６の中に記載の「矢印Ｒ」参照）する。これに伴い、上方に設けられるベルト部４７２及び回動部４７４が、回動部４７６と同一の方向に回転（従動回転。ベルト部４７２及び回動部４７４の中にそれぞれ記載の「矢印Ｒ」参照）する。そして、ベルト部４７２の回転に伴い、ベルト部４７２に取り付けられた第一遮蔽部４１０は、ベルト部４７２の他方側の部分（符号４７２ａ参照）において、搬送方向下流側に向かって移動し、一方側の部分（符号４７２ｂ参照）において搬送方向上流側に向かって移動する。なお、下方に設けられた各部４７２，４７４，４７６についても、前述のように回転（従動回転）する。
【００３５】
移動部４８０は、移動部４７０と同様の構成を有する。すなわち、移動部４８０は、ベルト部４８２と、回動部４８４，４８６とを有する。移動部４８０においても、ベルト部４８２と、回動部４８４，４８６とは、それぞれ、搬送面１２の上方となる所定の位置と、搬送面１２と同等となる所定の位置とに設けられる。搬送面１２の上方となる所定の位置より下方に設けられるベルト部４８２及び回動部４８４，４８６は、搬送面１２以下又は搬送面１２より下方となる所定の位置に設けられるようにしてもよい。移動部４７０，４８０において、上方及び下方にそれぞれ設けられる、各部４７２，４７４，４７６と、各部４８２，４８４，４８６とは、互いに同一の高さに設けられる。ベルト部４８２は、環状をなし、例えばチェーン等によって構成される。ベルト部４８２には、図２に示すように複数の第二遮蔽部４２０が、等間隔で取り付けられる。具体的に、上方に設けられるベルト部４８２には、第二遮蔽部４２０のフレーム４３０の上方端面部が取り付けられ、下方に設けられるベルト部４８２には、フレーム４３０の下方端面部が取り付けられる（図３（ｂ）参照）。第二遮蔽部４２０の取り付け間隔は、ベルト部４７２への第一遮蔽部４１０の取り付け間隔と等しく、間隔Ｋ２に設定される。
【００３６】
回動部４８４は、搬送方向上流側の所定の位置に設けられ、回動部４８６は、搬送方向下流側の所定の位置に設けられる。回動部４８４，４８６には、ベルト部４８２が掛けられる。例えば、上方及び下方に設けられている回動部４８６のうち、上方に設けられる回動部４８６には、回動部４７６を回転させるための駆動部が所定の伝達機構（不図示）を介して接続される。駆動部を所定の方向に回動させると、この回動部４８６は、伝達機構を介して、左回りに回転（従動回転。回動部４８６の中に記載の「矢印Ｌ」参照）する。これに伴い、上方に設けられるベルト部４８２及び回動部４８４が、回動部４８６と同一の方向に回転（従動回転。ベルト部４８２及び回動部４８４の中にそれぞれ記載の「矢印Ｌ」参照）する。そして、ベルト部４８２の回転に伴い、ベルト部４８２に取り付けられた第二遮蔽部４２０は、ベルト部４８２の一方側の部分（符号４８２ｂ参照）において、搬送方向下流側に向かって移動し、他方側の部分（符号４８２ａ参照）において搬送方向上流側に向かって移動する。なお、下方に設けられた各部４８２，４８４，４８６についても、前述のように回転（従動回転）する。
【００３７】
ここで、上述した通り、上流側遮蔽機構４０では、上方に設けられた回動部４７６及び回動部４８６が、単一の駆動部によって回転される。従って、移動部４７０による第一遮蔽部４１０の移動と、移動部４８０による第二遮蔽部４２０の移動とは、同期が取られた状態で行われる。
【００３８】
第一案内部４９０は、搬送面１２の上方となる所定の位置（図３（ｂ）参照）であって、搬送部１０の幅方向の一方側に設けられる。第一案内部４９０は、第一平行部４９２と、第一離間部４９４と、第一リターン部４９６と、第一方向転換部４９８，５００とが連続した環状に形成される。第一平行部４９２と第一離間部４９４とは、搬送方向に延在する部分のうち、搬送部１０の幅方向の他方側の部分を形成する。第一平行部４９２は、搬送方向に対して平行となるように形成される。第一離間部４９４は、搬送方向下流側に向かうに従い、搬送部１０の幅方向において搬送部１０から離間する方向に傾斜して形成される。第一リターン部４９６は、搬送方向に延在する部分のうち、搬送部１０の幅方向の一方側の部分を形成する。第一リターン部４９６は、搬送方向に対して平行となるように形成される。第一方向転換部４９８は、第一離間部４９４の搬送方向下流側の端部と、第一リターン部４９６の搬送方向下流側の端部とを接続する。第一方向転換部５００は、第一リターン部４９６の搬送方向上流側の端部と、第一平行部４９２の搬送方向上流側の端部とを接続する。
【００３９】
搬送部１０の幅方向における第一案内部４９０とベルト部４７２との間の幅寸法について、第一平行部４９２では幅Ｗ１で一定である。第一リターン部４９６及び第一方向転換部４９８，５００では、幅Ｗ２で一定である（幅Ｗ１＞幅Ｗ２）。第一離間部４９４における幅Ｗ３は、第一平行部４９２との境界における幅Ｗ１から、第一方向転換部４９８との境界における幅Ｗ２に漸次減少する（幅Ｗ１＞幅Ｗ３＞幅Ｗ２）。なお、第一方向転換部５００では、第一平行部４９２に繋がる第一移行部５０２において、ベルト部４７２との間の幅寸法が、幅Ｗ２から幅Ｗ１に変化する。
【００４０】
第二案内部５１０は、例えば図２で一点鎖線で示す搬送部１０の幅方向の中心線Ｍを基準として、第一案内部４９０と線対称の形状を有する。第二案内部５１０は、搬送面１２の上方となる所定の位置（図３（ｂ）参照）であって、搬送部１０の幅方向の他方側に設けられる。第一案内部４９０と、第二案内部５１０とは、例えば搬送面１２を基準として、同一の高さに設けられ、また、中心線Ｍを基準として、線対称の位置に設けられる。第二案内部５１０は、第二平行部５１２と、第二離間部５１４と、第二リターン部５１６と、第二方向転換部５１８，５２０とが連続した環状に形成される。第二平行部５１２と第二離間部５１４とは、搬送方向に延在する部分のうち、搬送部１０の幅方向の一方側の部分を形成する。第二平行部５１２は、搬送方向に対して平行となるように形成される。第二離間部５１４は、搬送方向下流側に向かうに従い、搬送部１０の幅方向において搬送部１０から離間する方向に傾斜して形成される。第二リターン部５１６は、搬送方向に延在する部分のうち、搬送部１０の幅方向の他方側の部分を形成する。第二リターン部５１６は、搬送方向に対して平行となるように形成される。第二方向転換部５１８は、第二離間部５１４の搬送方向下流側の端部と、第二リターン部５１６の搬送方向下流側の端部とを接続する。第二方向転換部５２０は、第二リターン部５１６の搬送方向上流側の端部と、第二平行部５１２の搬送方向上流側の端部とを接続する。
【００４１】
搬送部１０の幅方向における第二案内部５１０とベルト部４８２との間の幅寸法について、第二平行部５１２では幅Ｗ１で一定である。第二リターン部５１６及び第二方向転換部５１８，５２０では、幅Ｗ２で一定である（幅Ｗ１＞幅Ｗ２）。第二離間部５１４における幅Ｗ３は、第二平行部５１２との境界における幅Ｗ１から、第二方向転換部５１８との境界における幅Ｗ２に漸次減少する（幅Ｗ１＞幅Ｗ３＞幅Ｗ２）。なお、第二方向転換部５２０では、第二平行部５１２に繋がる第二移行部５２２において、ベルト部４８２との間の幅寸法が、幅Ｗ２から幅Ｗ１に変化する。なお、この幅寸法は、上述した第一案内部４９０とベルト部４７２との間の幅寸法と同様の関係である。
【００４２】
次に、対をなす一組の、第一遮蔽部４１０の遮蔽材４４０と、第二遮蔽部４２０の遮蔽材４４０とを適宜移動させて行われる、上流側遮蔽機構４０の開閉動作について、図２及び図４を参照して説明する。先ず、説明の便宜上、産業資材９０が搬送されていない場合について説明する。移動部４７０のベルト部４７２に、間隔Ｋ２で取り付けられた複数の第一遮蔽部４１０において可動部４３６は、第一遮蔽部４１０が取り付けられたそれぞれの位置で、付勢部４４４によって付勢方向に付勢される。例えば、第一平行部４９２の位置にある第一遮蔽部４１０では、可動部４３６は、付勢部４４４によって、搬送部１０の幅方向の一方側から他方側の方向に付勢され、接触部４４２が第一平行部４９２に接する位置まで移動する。そして、この可動部４３６に取り付けられた遮蔽材４４０は、可動部４３６の移動に連動して同一方向に移動する。このとき、この遮蔽材４４０の先端側は、搬送部１０の幅方向の中心（図２及び図４で一点鎖線で示す「中心線Ｍ」参照）を他方側に越えた位置に配置される。従って、第一遮蔽部４１０の遮蔽材４４０は、搬送部１０の幅方向の一方側の位置において、上流側遮蔽機構４０の貫通路の領域（端面）のうち、搬送部１０の幅方向の半分以上を閉鎖する（例えば図４で、上流側及び下流側で且つ一方側に示された「遮蔽材４４０」参照）。
【００４３】
同様に、移動部４８０のベルト部４８２に、間隔Ｋ２で取り付けられた複数の第二遮蔽部４２０において可動部４３６は、第二遮蔽部４２０が取り付けられたそれぞれの位置で、付勢部４４４によって付勢方向に付勢される。例えば、上述した第一平行部４９２の位置にある第一遮蔽部４１０と対をなし、第二平行部５１２の位置にある第二遮蔽部４２０では、可動部４３６は、付勢部４４４によって、搬送部１０の幅方向の他方側から一方側の方向に付勢され、接触部４４２が第二平行部５１２に接する位置まで移動する。そして、この可動部４３６に取り付けられた遮蔽材４４０は、可動部４３６の移動に連動して同一方向に移動する。このとき、この遮蔽材４４０の先端側は、搬送部１０の幅方向の中心（中心線Ｍ）を一方側に越えた位置に配置される。従って、第二遮蔽部４２０の遮蔽材４４０は、搬送部１０の幅方向の他方側の位置において、上流側遮蔽機構４０の貫通路の領域（端面）のうち、搬送部１０の幅方向の半分以上を閉鎖する（例えば図４で、上流側及び下流側で且つ他方側に示された「遮蔽材４４０」参照）。
【００４４】
ここで、第一平行部４９２及び第二平行部５１２において、第一遮蔽部４１０の遮蔽材４４０と、第二遮蔽部４２０の遮蔽材４４０とは、上述した通り、それぞれが設けられた側において、上流側遮蔽機構４０の貫通路の領域（端面）のうち、搬送部１０の幅方向の半分以上を閉鎖する。従って、対をなす一組の第一遮蔽部４１０と第二遮蔽部４２０とが、それぞれ第一平行部４９２及び第二平行部５１２の位置にある場合、第一遮蔽部４１０及び第二遮蔽部４２０それぞれの遮蔽材４４０によって、上流側遮蔽機構４０の貫通路の全領域（端面）が閉鎖される。すなわち、上流側遮蔽機構４０が閉鎖される。その際、第一遮蔽部４１０の遮蔽材４４０の先端部分と、第二遮蔽部４２０の遮蔽材４４０の先端部分は、例えば図４に示すように、中心線Ｍの部分で搬送方向に重複して配置される。そのため、上流側遮蔽機構４０は、より好適に閉鎖され、搬送方向上流側に向かう紫外線は、より好適に遮蔽される。遮蔽材４４０の高さは、上述した通り、上流側遮蔽機構４０の貫通路の高さ程度以上に設定されるため、貫通路の上方側及び下方側において、隙間は生じない。なお、図４において、上流側に示された遮蔽材４４０それぞれに付したハッチングは、上述した遮蔽材４４０の先端部分を明示するためのものである。
【００４５】
続けて、移動部４７０，４８０が駆動し、第一平行部４９２の位置にあった第一遮蔽部４１０が第一離間部４９４に移動し、且つ、第二平行部５１２の位置にあり、この第一遮蔽部４１０と対をなす一組の第二遮蔽部４２０が第二離間部５１４に移動したとする。このとき、第一遮蔽部４１０では、第一離間部４９４に押圧された状態で接する接触部４４２に、第一離間部４９４からの反力が作用し、第一離間部４９４の傾斜に対応して、可動部４３６が反付勢方向（図３（ｂ）参照）に漸次移動する。なお、この場合の反付勢方向は、搬送部１０の幅方向において他方側から一方側の方向であって、搬送部１０の幅方向において搬送部１０から離間する方向、すなわち、搬送方向下流側に従い第一離間部４９４が傾斜していく方向に一致する。そして、この可動部４３６に取り付けられた遮蔽材４４０は、可動部４３６の移動に連動して同一方向に漸次移動する。
【００４６】
同様に、第一離間部４９４の位置にある第一遮蔽部４１０と対をなし、第二離間部５１４の位置にある第二遮蔽部４２０では、第二離間部５１４に押圧された状態で接する接触部４４２に、第二離間部５１４からの反力が作用し、第二離間部５１４の傾斜に対応して、可動部４３６が反付勢方向に漸次移動する。なお、この場合の反付勢方向は、搬送部１０の幅方向において一方側から他方側の方向であって、搬送部１０の幅方向において搬送部１０から離間する方向、すなわち、搬送方向下流側に従い第二離間部５１４が傾斜していく方向に一致する。そして、この可動部４３６に取り付けられた遮蔽材４４０は、可動部４３６の移動に連動して同一方向に漸次移動する。最終的に第一離間部４９４及び第二離間部５１４では、第一遮蔽部４１０の可動部４３６と、第二遮蔽部４２０の可動部４３６とは、幅Ｗ２に対応した位置まで、反付勢方向に移動し、これに連動して第一遮蔽部４１０の遮蔽材４４０と、第二遮蔽部４２０の遮蔽材４４０とも、幅Ｗ２に対応した位置まで移動する。これによって、対をなす一組の、第一遮蔽部４１０の遮蔽材４４０と、第二遮蔽部４２０の遮蔽材４４０とが、開放される。すなわち、上流側遮蔽機構４０が開放される。
【００４７】
第一離間部４９４を通過した第一遮蔽部４１０は、その後、第一方向転換部４９８、第一リターン部４９６及び第一方向転換部５００を順次連続して移動する。同様に、第二離間部５１４を通過した第二遮蔽部４２０は、その後、第二方向転換部５１８、第二リターン部５１６及び第二方向転換部５２０を順次連続して移動する。ここで、第一方向転換部４９８、第一リターン部４９６及び第一方向転換部５００（第一移行部５０２を除く）において、ベルト部４７２との間の幅寸法は、幅Ｗ２で一定である。また、第二方向転換部５１８、第二リターン部５１６及び第二方向転換部５２０（第二移行部５２２を除く）においても、ベルト部４８２との間の幅寸法は、幅Ｗ２で一定である。そのため、第一遮蔽部４１０は、第一離間部４９４を通過したときの状態を維持して、これら区間を移動し、第二遮蔽部４２０は、第二離間部５１４を通過したときの状態を維持して、これら区間を移動する。
【００４８】
第一方向転換部５００で、移動方向が搬送方向上流側から搬送方向下流側とされた第一遮蔽部４１０は、その後、第一方向転換部５００の第一移行部５０２に到達する。第一移行部５０２では、ベルト部４７２との間の幅寸法が、幅Ｗ２から幅Ｗ１に変化する。そのため、可動部４３６は、付勢部４４４による付勢力によって、幅寸法の変化に対応しつつ付勢方向に移動し、遮蔽材４４０もこの移動に連動して同一方向に移動する。同様に、第二方向転換部５２０で、移動方向が搬送方向上流側から搬送方向下流側とされた第二遮蔽部４２０は、その後、第二方向転換部５２０の第二移行部５２２に到達する。第二移行部５２２では、ベルト部４８２との間の幅寸法が、幅Ｗ２から幅Ｗ１に変化する。そのため、可動部４３６は、付勢部４４４による付勢力によって、幅寸法の変化に対応しつつ付勢方向に移動し、遮蔽材４４０もこの移動に連動して同一方向に移動する。すなわち、第一遮蔽部４１０と第二遮蔽部４２０とは、上述したような上流側遮蔽機構４０を閉鎖する状態となる。
【００４９】
ところで、第一移行部５０２及び第二移行部５２２において、第一遮蔽部４１０の可動部４３６と、第二遮蔽部４２０の可動部４３６とが、それぞれ、付勢方向、すなわち、搬送部１０の幅方向のうち、中心線Ｍの方向にそれぞれ移動したとき、産業資材９０が、第一移行部５０２及び第二移行部５２２の位置を搬送されているとする。この場合、第一遮蔽部４１０の接触部４４２が第一平行部４９２に接する前に、第一遮蔽部４１０の遮蔽材４４０が産業資材９０の一方側の側面に接し、これ以降、付勢方向への移動が規制される。同様に、第二遮蔽部４２０の接触部４４２が第二平行部５１２に接する前に、第二遮蔽部４２０の遮蔽材４４０が産業資材９０の他方側の側面に接し、これ以降、付勢方向への移動が規制される。第一遮蔽部４１０及び第二遮蔽部４２０において、産業資材９０と、これを挟み込む遮蔽材４４０，４４０とは、例えば図４で搬送方向の中央に示すような状態となる。すなわち、上流側遮蔽機構４０では、第一遮蔽部４１０の遮蔽材４４０と、第二遮蔽部４２０の遮蔽材４４０とが、紫外線硬化型インクが着弾し、未硬化状態の記録面９２を横切る等して、これと接触することはない。
【００５０】
そして、産業資材９０は、図２（搬送方向の中央に示された産業資材９０参照）及び図４に示すように、両側面を、遮蔽材４４０，４４０で挟まれた状態で、搬送方向下流側に搬送される。ここで、搬送部１０によって搬送される産業資材９０は、例えば、第一遮蔽部４１０及び第二遮蔽部４２０それぞれのベルト部４７２，４８２への取り付け間隔Ｋ２より広い間隔Ｋ１となるようにして（間隔Ｋ１＞間隔Ｋ２）、搬送面１２に、順次載せ置かれる。また、搬送部１０による産業資材９０の搬送速度と、移動部４７０，４８０による第一遮蔽部４１０及び第二遮蔽部４２０の移動速度とは、同一速度に設定される。従って、一の産業資材９０が、第一移行部５０２及び第二移行部５２２の位置を搬送され、第一遮蔽部４１０の遮蔽材４４０と、第二遮蔽部４２０の遮蔽材４４０とに挟み込まれ、その状態で搬送された後、次に他の産業資材９０が、第一移行部５０２及び第二移行部５２２の位置を搬送される前に、対をなす一組の第一遮蔽部４１０及び第二遮蔽部４２０が、第一移行部５０２及び第二移行部５２２に、それぞれ移動される。すなわち、上流側遮蔽機構４０では、第一移行部５０２及び第二移行部５２２で産業資材９０が挟み込まれたとしても、その後、これに後続して第一移行部５０２及び第二移行部５２２に移動される、対をなす一組の第一遮蔽部４１０及び第二遮蔽部４２０それぞれの遮蔽材４４０，４４０によって、搬送方向上流側への遮蔽は、上述したように、好適に実現される。
【００５１】
遮蔽材４４０，４４０で産業資材９０を挟み込んだ第一遮蔽部４１０及び第二遮蔽部４２０は、その後、第一平行部４９２及び第二平行部５１２を通過し、第一離間部４９４及び第二離間部５１４を移動することとなる。この移動途中において、第一遮蔽部４１０では、遮蔽材４４０と産業資材９０の一方側の側面との接触に応じた位置にあった接触部４４２が、第一離間部４９４に接する。また、第二遮蔽部４２０では、遮蔽材４４０と産業資材９０の他方側の側面との接触に応じた位置にあった接触部４４２が、第二離間部５１４に接する。そして、これ以降、搬送方向下流側に移動されるに従い、第一遮蔽部４１０では、接触部４４２に第一離間部４９４からの反力が作用し、第一離間部４９４の傾斜に対応して、可動部４３６が反付勢方向に漸次移動する。また、第二遮蔽部４２０では、接触部４４２に第二離間部５１４からの反力が作用し、第二離間部５１４の傾斜に対応して、可動部４３６が反付勢方向に漸次移動する。これによって、第一遮蔽部４１０及び第二遮蔽部４２０それぞれの遮蔽材４４０，４４０による挟み込みが解除される。産業資材９０は、さらに搬送方向下流側に搬送されて照射部５０に到達する。照射部５０では、記録面９２に紫外線が照射される。その後、産業資材９０は、さらに搬送部１０によって搬送され、下流側遮蔽機構６０を通過する。
【００５２】
＜下流側遮蔽機構＞
下流側遮蔽機構６０について、図５及び図６を参照して説明する。図５及び図６では図示を省略しているが、下流側遮蔽機構６０は、実際には、搬送部１０が貫通し、産業資材９０が通過できるように搬送方向に貫通した筐体で覆われている。従って、後述する搬送方向下流側の他、インクジェット記録装置１の上方側及び下方側（図１（ｂ）及び図６参照）についても、活性エネルギー線としての紫外線は遮蔽される。なお、図６は、産業資材９０が下流側遮蔽機構６０を搬送される状態を説明するための図であって、下流側遮蔽機構６０を構成する一部の構成を省略し、図示を簡略化している。
【００５３】
下流側遮蔽機構６０は、移動部６１０，６３０と、遮蔽材６５０，６７０とを有する。下流側遮蔽機構６０において、遮蔽材６５０は、複数設けられ、遮蔽材６７０は、遮蔽材６５０と同数だけ設けられる。移動部６１０と、複数の遮蔽材６５０とによる構成は、搬送部１０の幅方向の一方側に設けられる。移動部６３０と、複数の遮蔽材６７０とによる構成は、搬送部１０の幅方向の他方側に設けられる。
【００５４】
移動部６１０は、ベルト部６１２と、回動部６１４，６１６，６１８，６２０とを有する。移動部６１０において、ベルト部６１２と、回動部６１４，６１６，６１８，６２０とは、それぞれ、搬送面１２の上方となる所定の位置に設けられる。ベルト部６１２は、環状をなし、例えばチェーン等によって構成される。ベルト部６１２には、図５に示すように複数の遮蔽材６５０が、所定の取付機構（不図示）を介して、等間隔（間隔Ｋ３：間隔Ｋ１＞間隔Ｋ３）で取り付けられる。回動部６１４，６１６，６１８，６２０は、それぞれ、図５に示すような位置に設けられる。回動部６１４，６１６，６１８，６２０には、ベルト部６１２が掛けられる。例えば回動部６２０には、モータ等のような駆動部（不図示）が所定の伝達機構（不図示）を介して接続される。駆動部を所定の方向に回動させると、この回動部６２０は、伝達機構を介して、右回りに回転（従動回転。回動部６２０の中に記載の「矢印Ｒ」参照）する。これに伴い、ベルト部６１２と、回動部６１４，６１６，６１８とが、回動部６２０と同一の方向に回転（従動回転。ベルト部６１２及び回動部６１４，６１６，６１８の中にそれぞれ記載の「矢印Ｒ」参照）する。そして、ベルト部６１２の回転に伴い、ベルト部６１２に取り付けられた遮蔽材６５０は、ベルト部６１２の他方側の部分（符号６１２ａ，６１２ｂ参照）において、搬送方向下流側に向かって移動し、一方側の部分（符号６１２ｄ参照）において搬送方向上流側に向かって移動する。
【００５５】
移動部６１０において、回動部６１４の部分と、回動部６１８及び回動部６２０の間のベルト部６１２の部分６１２ｃで、遮蔽材６５０の移動方向が転換される。また、回動部６１４と回動部６１６との間においてベルト部６１２の部分６１２ａは、搬送方向下流側に向かうに従い、搬送部１０の幅方向において搬送部１０に接近する方向に傾斜している。従って、遮蔽材６５０は、この部分６１２ａを、搬送部１０の幅方向の中心（図５で一点鎖線で示す「中心線Ｍ」参照）に漸次接近するように移動する。
【００５６】
移動部６３０は、ベルト部６３２と、回動部６３４，６３６，６３８，６４０とを有する。移動部６３０において、ベルト部６３２と、回動部６３４，６３６，６３８，６４０とは、それぞれ、搬送面１２の上方となる所定の位置であって、移動部６１０と同一の高さに設けられる。ベルト部６３２は、移動部６１０のベルト部６１２に対応する構成である。ベルト部６３２には、図５に示すように複数の遮蔽材６７０が、所定の取付機構（不図示）を介して、等間隔で取り付けられる。遮蔽材６７０の取り付け間隔は、ベルト部６１２への遮蔽材６５０の取り付け間隔と等しく、間隔Ｋ３に設定される。また、回動部６３４は回動部６１４に、回動部６３６は回動部６１６に、回動部６３８は回動部６１８に、回動部６４０は回動部６２０に、それぞれ対応する。そして、回動部６３４，６３６，６３８，６４０は、図５に示すように、例えば搬送部１０の幅方向の中心線Ｍを基準として、回動部６１４，６１６，６１８，６２０と線対称の位置に設けられ、ベルト部６３２が、回動部６３４，６３６，６３８，６４０に掛けられる。
【００５７】
例えば回動部６４０には、回動部６４０を回転させるための駆動部（不図示）が所定の伝達機構（不図示）を介して接続される。駆動部を所定の方向に回動させると、この回動部６４０は、伝達機構を介して、左回りに回転（従動回転。回動部６４０の中に記載の「矢印Ｌ」参照）する。これに伴い、ベルト部６３２と、回動部６３４，６３６，６３８とが、回動部６４０と同一の方向に回転（従動回転。ベルト部６３２及び回動部６３４，６３６，６３８の中にそれぞれ記載の「矢印Ｌ」参照）する。そして、ベルト部６３２の回転に伴い、ベルト部６３２に取り付けられた遮蔽材６７０は、ベルト部６３２の一方側の部分（符号６３２ａ，６３２ｂ参照）において、搬送方向下流側に向かって移動し、他方側の部分（符号６３２ｄ参照）において搬送方向上流側に向かって移動する。なお、回動部６４０を回転させるための駆動部は、回動部６２０を回転させるための駆動部を用いるとよい。遮蔽材６５０の移動と、遮蔽材６７０の移動とを、同期が取られた状態で行うことができる。
【００５８】
移動部６３０において、回動部６３４の部分と、回動部６３８及び回動部６４０の間のベルト部６３２の部分６３２ｃで、遮蔽材６７０の移動方向が転換される。また、回動部６３４と回動部６３６との間においてベルト部６３２の部分６３２ａは、搬送方向下流側に向かうに従い、搬送部１０の幅方向において搬送部１０に接近する方向に傾斜している。従って、遮蔽材６７０は、この部分６３２ａを、搬送部１０の幅方向の中心（中心線Ｍ）に漸次接近するように移動する。なお、移動部６３０による遮蔽材６７０の移動軌跡は、移動部６１０の場合の移動軌跡と、中心線Ｍを基準として線対称となる。搬送部１０による産業資材９０の搬送速度と、移動部６１０，６３０による遮蔽材６５０，６７０の移動速度とは、例えば同一速度に設定される。
【００５９】
ベルト部６１２，６３２にそれぞれ取り付けられた遮蔽材６５０，６７０は、図６に示すように、搬送面１２の上方に垂れ下がった状態とされる。遮蔽材６５０，６７０は、同様の構成を有する。すなわち、遮蔽材６５０，６７０は、垂れ下がった状態で、搬送面１２と対向する部分が搬送面１２に接近又は接触するような長さを有し、搬送部１０の幅の半分以上の幅を有する。搬送部１０の幅方向において、遮蔽材６５０の他方側の辺部と、遮蔽材６７０の一方側の辺部とは、例えば図６に示すように、中心線Ｍの部分で隣接するように配置される。そのため、対をなす一組の遮蔽材６５０，６７０によれば、下流側遮蔽機構６０の貫通路の全領域（端面）を閉鎖することができる。すなわち、ベルト部６１２，６３２に取り付けられ、搬送面１２の上方に垂れ下がった状態において、１つの遮蔽材６５０と、１つの遮蔽材６７０とは、対をなし、搬送方向下流側に向かう紫外線を遮蔽する機能を有する。遮蔽材６５０，６７０は、上流側遮蔽機構４０における、第一遮蔽部４１０の遮蔽材４４０と第二遮蔽部４２０の遮蔽材４４０とのように、重複するようにしてもよい（図４参照）。なお、遮蔽材６５０がベルト部６１２の部分６１２ｂを通過し、部分６１２ｃを移動することとなり、遮蔽材６７０がベルト部６３２の部分６３２ｂを通過し、部分６３２ｃを移動することとなったとき、下流側遮蔽機構６０は、開放される。
【００６０】
遮蔽材６５０が回動部６１４を通過し、ベルト部６１２の部分６３２ａを移動し、この遮蔽材６５０と対をなす遮蔽材６７０が回動部６３４を通過し、ベルト部６３２の部分６３２ａを移動するタイミングで、搬送部１０によって産業資材９０が搬送されてきたとする。この場合、遮蔽材６５０，６７０は、それぞれ、産業資材９０に接し、記録面９２上で所定の方向に変形する。なお、この時点において、産業資材９０は照射部５０を通過しており、記録面９２に着弾した紫外線硬化型インクは硬化している。そのため、この接触によって、画像品質が損なわれることはない。
【００６１】
ところで、遮蔽材６５０，６７０が変形した場合、照射部５０で照射され、搬送方向下流側に向かう紫外線は、変形によって形成された隙間を通過することとなる。しかし、下流側遮蔽機構６０では、この変形した遮蔽材６５０，６７０（例えば図６で搬送方向上流側に示す「遮蔽材６５０，６７０」参照）の前方を移動する、未変形の他の遮蔽材６５０，６７０（例えば図６で搬送方向下流側に示す「遮蔽材６５０，６７０」参照）によって、紫外線を好適に遮蔽することができる。
【００６２】
本実施形態の構成は、次のようにすることもできる。すなわち、上記では、インクジェット記録装置１が有する搬送部１０が、図１（ａ），（ｂ）に示すように、連続した単一の構成である場合を例に説明した。この他、搬送部１０は、複数のコンベア等を、適宜組み合わせて構成されてもよい。例えば、記録部３０と、上流側遮蔽機構４０の間で、搬送経路を分割するような場合、記録部３０までの一の搬送部に隣接した位置、又は、離間した位置に、他の搬送部を設け、記録面９２に紫外線硬化型インクが着弾した産業資材９０を、上流側遮蔽機構４０と、照射部５０と、下流側遮蔽機構６０を通過させるようにしてもよい。なお、他の搬送部を一の搬送部から離間した位置に設けられるインクジェット記録装置（インクジェット記録システム）である場合、記録部３０で画像が形成された産業資材９０は、パレット等を利用して、他の搬送部に運ばれ、再度、他の搬送部の搬送面に載せ置かれる。
【００６３】
また、下流側遮蔽機構６０は、例えば、上流側遮蔽機構４０と同様の構成を有する遮蔽機構としてもよい。
【符号の説明】
【００６４】
１  インクジェット記録装置
１０  搬送部、  １２  搬送面、  ２０  キャリッジ、  ３０  記録部
４０  上流側遮蔽機構、  ４１０  第一遮蔽部、  ４２０  第二遮蔽部
４３０  フレーム、  ４３２  ベース部、  ４３４  固定部、  ４３６  可動部
４３８  ガイド部、  ４４０  遮蔽材、  ４４２  接触部、  ４４４  付勢部
４６０  開閉部、  ４７０，４８０  移動部、  ４７２，４８２  ベルト部
４７４，４７６，４８４，４８６  回動部
４９０  第一案内部、  ４９２  第一平行部、  ４９４  第一離間部
４９６  第一リターン部、  ４９８，５００  第一方向転換部
５１０  第二案内部、  ５１２  第二平行部、  ５１４  第二離間部
５１６  第二リターン部、  ５１８，５２０  第二方向転換部
５０  照射部、  ６０  下流側遮蔽機構、  ９０  産業資材、  ９２  記録面
【図１】
0005713703.tif 000002
【図２】
0005713703.tif 000003
【図３】
0005713703.tif 000004
【図４】
0005713703.tif 000005
【図５】
0005713703.tif 000006
【図６】
0005713703.tif 000007